(57)【要約】【課題】  気軽に相性の判定を受けるとともに、ゲーム性を有する相性判定装置を提供すること。【解決手段】  所定の媒体のアクセス情報を参照して第１のユーザが第１の端末装置からアクセスしてきた場合に、正当なユーザであるか認証する第１の認証手段（ＣＰＵ５０ａ）と、心理テスト情報を呈示する第１の呈示手段（ＣＰＵ５０ａ）と、回答を受信して採点する第１の採点手段と、第２のユーザが第２の端末装置からアクセスしてきた場合に、正当なユーザであるか認証する第２の認証手段（ＣＰＵ５０ａ）と、心理テスト情報を呈示する第２の呈示手段（ＣＰＵ５０ａ）と、心理テストの回答を受信して採点する第２の採点手段（ＣＰＵ５０ａ）と、採点結果に基づいて二人の相性を判定する判定手段（ＣＰＵ５０ａ）と、判定結果を二人のユーザに通知する通知手段（ＣＰＵ５０ａ）と、を有する。【選択図】  図３
2006174989.tif 000002
【特許請求の範囲】
【請求項１】
第１のユーザと第２のユーザの相性を判定する相性判定装置において、
アクセス情報とＩＤ情報とが記載された所定の媒体の当該アクセス情報を参照して上記第１のユーザが第１の端末装置からアクセスしてきた場合に、上記第１のユーザによって入力された当該ＩＤ情報に基づいて正当なユーザであるか認証する第１の認証手段と、
上記第１の認証手段によって正当なユーザであることが判明した場合には、上記第１の端末装置に対して所定の心理テスト情報を呈示する第１の呈示手段と、
上記第１の呈示手段によって呈示された心理テストの回答を受信して採点する第１の採点手段と、
上記第１のユーザから譲渡された上記所定の媒体の上記アクセス情報を参照して上記第２のユーザが第２の端末装置からアクセスしてきた場合に、上記第２のユーザによって入力された上記ＩＤ情報に基づいて正当なユーザであるか認証する第２の認証手段と、
上記第２の認証手段によって正当なユーザであることが判明した場合には、上記第２の端末装置に対して所定の心理テスト情報を呈示する第２の呈示手段と、
上記第２の呈示手段によって呈示された心理テストの回答を受信して採点する第２の採点手段と、
上記第１および第２の採点手段による採点結果に基づいてこれら二人のユーザの相性を判定する判定手段と、
上記判定手段による判定結果を第１および第２のユーザに通知する通知手段と、
を有することを特徴とする相性判定装置。
【請求項２】
前記所定の媒体は、紙媒体としてのグリーティングカードであることを特徴とする請求項１記載の相性判定装置。
【請求項３】
前記グリーティングカードには、前記第１のユーザ用および前記第２のユーザ用のＩＤ情報およびアクセス情報が２箇所に記載されており、前記第１のユーザ用のＩＤ情報およびアクセス情報は分離可能な部分に記載されていることを特徴とする請求項２記載の相性判定装置。
【請求項４】
前記アクセス情報は、電子メールのアドレスに関する情報であり、当該アドレスに第１または第２のユーザが電子メールを送信することにより返信されてくるＵＲＬに関する情報に基づいて前記第１の端末装置および前記第２の端末装置が本相性判定装置にアクセスすることを特徴とする請求項１記載の相性判定装置。
【請求項５】
前記第１および第２の認証手段は、同一のＩＤ情報に基づいて認証処理を行い、アクセスされた回数に基づいて、正当性のないユーザのアクセスを制限することを特徴とする請求項１記載の相性判定装置。
【請求項６】
前記判定手段の判定結果に対応する所定の情報を前記第１および第２のユーザに提供する提供手段をさらに有することを特徴とする請求項１記載の相性判定装置。
【請求項７】
前記第１および第２の端末装置は携帯電話機であり、
前記提供手段は、前記判定手段の判定結果に対応する待ち受け画面の画像情報を提供する、
ことを特徴とする請求項６記載の相性判定装置。
【請求項８】
前記第１および第２の呈示手段は、複数の心理テストの中から第１のユーザによって指定された心理テストに関する情報を提示することを特徴とする請求項１記載の相性判定装置。
【請求項９】
前記第１および第２の認証手段は、所定の期間中にアクセスしてきたユーザのみを認証の対象とすることを特徴とする請求項１記載の相性判定装置。
【請求項１０】
第１のユーザと第２のユーザの相性を判定する相性判定方法において、
アクセス情報とＩＤ情報とが記載された所定の媒体の当該アクセス情報を参照して上記第１のユーザが第１の端末装置からアクセスしてきた場合に、上記第１のユーザによって入力された当該ＩＤ情報に基づいて正当なユーザであるか認証する第１の認証ステップと、
上記第１の認証によって正当なユーザであることが判明した場合には、上記第１の端末装置に対して所定の心理テスト情報を呈示する第１の呈示ステップと、
上記第１の呈示ステップによって呈示された心理テストの回答を受信して採点する第１の採点ステップと、
上記第１のユーザから譲渡された上記所定の媒体の上記アクセス情報を参照して上記第２のユーザが第２の端末装置からアクセスしてきた場合に、上記第２のユーザによって入力された上記ＩＤ情報に基づいて正当なユーザであるか認証する第２の認証ステップと、
上記第２の認証ステップによって正当なユーザであることが判明した場合には、上記第２の端末装置に対して所定の心理テスト情報を呈示する第２の呈示ステップと、
上記第２の呈示ステップによって呈示された心理テストの回答を受信して採点する第２の採点ステップと、
上記第１および第２の採点ステップによる採点結果に基づいてこれら二人のユーザの相性を判定する判定ステップと、
上記判定ステップによる判定結果を第１および第２のユーザに通知する通知ステップと、
を有することを特徴とする相性判定方法。
【請求項１１】
第１のユーザと第２のユーザの相性を判定する処理をコンピュータに機能させるコンピュータ読み取り可能な相性判定用プログラムにおいて、
コンピュータを、
アクセス情報とＩＤ情報とが記載された所定の媒体の当該アクセス情報を参照して上記第１のユーザが第１の端末装置からアクセスしてきた場合に、上記第１のユーザによって入力された当該ＩＤ情報に基づいて正当なユーザであるか認証する第１の認証手段、
上記第１の認証手段によって正当なユーザであることが判明した場合には、上記第１の端末装置に対して所定の心理テスト情報を呈示する第１の呈示手段、
上記第１の呈示手段によって呈示された心理テストの回答を受信して採点する第１の採点手段、
上記第１のユーザから譲渡された上記所定の媒体の上記アクセス情報を参照して上記第２のユーザが第２の端末装置からアクセスしてきた場合に、上記第２のユーザによって入力された上記ＩＤ情報に基づいて正当なユーザであるか認証する第２の認証手段、
上記第２の認証手段によって正当なユーザであることが判明した場合には、上記第２の端末装置に対して所定の心理テスト情報を呈示する第２の呈示手段、
上記第２の呈示手段によって呈示された心理テストの回答を受信して採点する第２の採点手段、
上記第１および第２の採点手段による採点結果に基づいてこれら二人のユーザの相性を判定する判定手段、
上記判定手段による判定結果を第１および第２のユーザに通知する通知手段、
として機能させるコンピュータ読み取り可能な相性判定用プログラム。
【発明の詳細な説明】
【技術分野】
【０００１】
本発明は、相性判定装置、相性判定方法、および、相性判定用プログラムに関する。
【背景技術】
【０００２】
２人のユーザの相性を判定する装置としては、従来、特許文献１に示すような技術が提案されている。
【０００３】
特許文献１に示す技術では、２人のユーザの手のひらの画像をそれぞれ読み込み、手相線を抽出して特徴を判断し、それらの組み合わせにより、２人の相性を判断する。
【０００４】
【特許文献１】特開平０５−２００１５７号公報（特許請求の範囲、発明の詳細な説明等）
【発明の開示】
【発明が解決しようとする課題】
【０００５】
ところで、このような相性判定装置では、２人のユーザが当該装置が設置してある場所に赴く必要があるため、気軽に判定を受けることができないという問題点がある。
【０００６】
また、相性を判定した結果としては、例えば、紙に印刷された情報を得るだけであり、ゲーム性に欠けるという問題点もある。
【０００７】
本発明は、気軽に相性の判定を受けるとともに、ゲーム性を有する相性判定装置、相性判定方法、および、相性判定用プログラムを提供することを目的とする。
【課題を解決するための手段】
【０００８】
上述の目的を達成するため、本発明の相性判定装置は、第１のユーザと第２のユーザの相性を判定する相性判定装置において、アクセス情報とＩＤ情報とが記載された所定の媒体の当該アクセス情報を参照して第１のユーザが第１の端末装置からアクセスしてきた場合に、第１のユーザによって入力された当該ＩＤ情報に基づいて正当なユーザであるか認証する第１の認証手段と、第１の認証手段によって正当なユーザであることが判明した場合には、第１の端末装置に対して所定の心理テスト情報を呈示する第１の呈示手段と、第１の呈示手段によって呈示された心理テストの回答を受信して採点する第１の採点手段と、第１のユーザから譲渡された所定の媒体のアクセス情報を参照して第２のユーザが第２の端末装置からアクセスしてきた場合に、第２のユーザによって入力されたＩＤ情報に基づいて正当なユーザであるか認証する第２の認証手段と、第２の認証手段によって正当なユーザであることが判明した場合には、第２の端末装置に対して所定の心理テスト情報を呈示する第２の呈示手段と、第２の呈示手段によって呈示された心理テストの回答を受信して採点する第２の採点手段と、第１および第２の採点手段による採点結果に基づいてこれら二人のユーザの相性を判定する判定手段と、判定手段による判定結果を第１および第２のユーザに通知する通知手段と、を有している。
【０００９】
このため、気軽に相性の判定を受けるとともに、ゲーム性を有する相性判定装置を提供することができる。
【００１０】
また、他の発明の相性判定装置は、上述の発明に加えて、所定の媒体が、紙媒体としてのグリーティングカードであるようにしている。このため、２人のユーザの相性を知るだけでなく、グリーティングカードを用いてコミュニケーションを図ることができるとともに、グリーティングカードの商品代金としてシステムの使用料金を徴収することができるので、使用料の徴収が容易になる。
【００１１】
また、他の発明の相性判定装置は、上述の発明に加えて、グリーティングカードには、第１のユーザ用および第２のユーザ用のＩＤ情報およびアクセス情報が２箇所に記載されており、第１のユーザ用のＩＤ情報およびアクセス情報は分離可能な部分に記載されている。このため、第１のユーザは、分離可能な部分を分離して保存することにより、ＩＤ情報を紛失することを防止できる。
【００１２】
他の発明の相性判定装置は、上述の発明に加えて、アクセス情報は、電子メールのアドレスに関する情報であり、当該アドレスに第１または第２のユーザが電子メールを送信することにより返信されてくるＵＲＬに関する情報に基づいて第１の端末装置および第２の端末装置が本相性判定装置にアクセスするようにしている。このため、ユーザの電子メールアドレスをシステム側が知ることができることから、不正な使用を抑制することができる。
【００１３】
他の発明の相性判定装置は、上述の発明に加えて、第１および第２の認証手段は、同一のＩＤ情報に基づいて認証処理を行い、アクセスされた回数に基づいて、正当性のないユーザのアクセスを制限するようにしている。このため、ＩＤ情報を共用することにより、ＩＤ情報の管理を簡便化することができるとともに、２つのＩＤを使用する場合に比較して、発行するＩＤの個数を減少させることができることから、全体としてＩＤを構成する文字列の文字数を減少させ、ユーザがＩＤ情報を入力する際の利便性を高めることができる。
【００１４】
他の発明の相性判定装置は、上述の発明に加えて、判定手段の判定結果に対応する所定の情報を第１および第２のユーザに提供する提供手段をさらに有するようにしている。このため、判定結果に応じた情報を提供することにより、判定装置のゲーム性を高めることができる。
【００１５】
他の発明の相性判定装置は、上述の各発明に加えて、第１および第２の端末装置は携帯電話機であり、提供手段は、判定手段の判定結果に対応する待ち受け画面の画像情報を提供するようにしている。このため、判定装置のゲーム性をさらに高めることができるとともに、第１および第２のユーザが共通の画像情報を共有できることで、システムの付加価値を一層高めることができる。
【００１６】
他の発明の相性判定装置は、上述の発明に加えて、第１および第２の呈示手段は、複数の心理テストの中から第１のユーザによって指定された心理テストに関する情報を提示するようにしている。このため、目的に応じた心理テストを選択することにより、システムの使用価値を高めることができる。
【００１７】
他の発明の相性判定装置は、上述の発明に加えて、第１および第２の認証手段は、所定の期間中にアクセスしてきたユーザのみを認証の対象とするようにしている。このため、期間限定とすることにより、システムの利用価値を高めることができるとともに、不正な使用を制限できる。
【００１８】
また、本発明の相性判定方法は、第１のユーザと第２のユーザの相性を判定する相性判定方法において、アクセス情報とＩＤ情報とが記載された所定の媒体の当該アクセス情報を参照して第１のユーザが第１の端末装置からアクセスしてきた場合に、第１のユーザによって入力された当該ＩＤ情報に基づいて正当なユーザであるか認証する第１の認証ステップと、第１の認証によって正当なユーザであることが判明した場合には、第１の端末装置に対して所定の心理テスト情報を呈示する第１の呈示ステップと、第１の呈示ステップによって呈示された心理テストの回答を受信して採点する第１の採点ステップと、第１のユーザから譲渡された所定の媒体のアクセス情報を参照して第２のユーザが第２の端末装置からアクセスしてきた場合に、第２のユーザによって入力されたＩＤ情報に基づいて正当なユーザであるか認証する第２の認証ステップと、第２の認証ステップによって正当なユーザであることが判明した場合には、第２の端末装置に対して所定の心理テスト情報を呈示する第２の呈示ステップと、第２の呈示ステップによって呈示された心理テストの回答を受信して採点する第２の採点ステップと、第１および第２の採点ステップによる採点結果に基づいてこれら二人のユーザの相性を判定する判定ステップと、判定ステップによる判定結果を第１および第２のユーザに通知する通知ステップと、を有している。
【００１９】
このため、気軽に相性の判定を受けるとともに、ゲーム性を有する相性判定装置を提供することができる。
【００２０】
また、本発明の相性判定用プログラムは、第１のユーザと第２のユーザの相性を判定する処理をコンピュータに機能させるコンピュータ読み取り可能な相性判定用プログラムにおいて、コンピュータを、アクセス情報とＩＤ情報とが記載された所定の媒体の当該アクセス情報を参照して第１のユーザが第１の端末装置からアクセスしてきた場合に、第１のユーザによって入力された当該ＩＤ情報に基づいて正当なユーザであるか認証する第１の認証手段、第１の認証手段によって正当なユーザであることが判明した場合には、第１の端末装置に対して所定の心理テスト情報を呈示する第１の呈示手段、第１の呈示手段によって呈示された心理テストの回答を受信して採点する第１の採点手段、第１のユーザから譲渡された所定の媒体のアクセス情報を参照して第２のユーザが第２の端末装置からアクセスしてきた場合に、第２のユーザによって入力されたＩＤ情報に基づいて正当なユーザであるか認証する第２の認証手段、第２の認証手段によって正当なユーザであることが判明した場合には、第２の端末装置に対して所定の心理テスト情報を呈示する第２の呈示手段、第２の呈示手段によって呈示された心理テストの回答を受信して採点する第２の採点手段、第１および第２の採点手段による採点結果に基づいてこれら二人のユーザの相性を判定する判定手段、判定手段による判定結果を第１および第２のユーザに通知する通知手段、として機能させる。
【００２１】
このため、当該相性判定用プログラムをコンピュータにインストールすれば、気軽に相性の判定を受けるとともに、ゲーム性を有する相性判定装置を提供することができる。
【発明の効果】
【００２２】
本発明は、気軽に相性の判定を受けるとともに、ゲーム性を有する相性判定装置、相性判定方法、および、相性判定用プログラムを提供することができる。
【発明を実施するための最良の形態】
【００２３】
以下、本発明の実施の形態に係る相性判定装置、相性判定方法、および、相性判定用プログラムを、図面に基づいて説明する。なお、相性判定方法および相性判定用プログラムは、相性判定装置の動作として説明する。
【００２４】
図１は、本発明の実施の形態に係る相性判定装置を有する相性判定システムを示す図である。この図に示すように、相性判定システムは、携帯電話機１０，２０、基地局３０、インターネット４０、相性判定装置５０、および、グリーティングカード６０を主要な構成要素としている。
【００２５】
ここで、第１の端末装置としての携帯電話機１０は、第１のユーザが有しており、基地局３０およびインターネット４０を介して相性判定装置５０に接続し、種々の情報をやりとりするとともに、図示せぬ公衆回線を介して他の携帯電話機または固定電話機と通話することができる。
【００２６】
第２の端末装置としての携帯電話機２０は、第２のユーザが有しており、基地局３０およびインターネット４０を介して相性判定装置５０に接続し、種々の情報をやりとりするとともに、図示せぬ公衆回線を介して他の携帯電話機または固定電話機と通話することができる。
【００２７】
基地局３０は、携帯電話機２０，３０と直接交信する携帯電話網の末端にあたる設備であり、所定の範囲の通信エリアを有しており、当該通信エリア内の携帯電話機と通信を行う。
【００２８】
インターネット４０は、複数のコンピュータが相互に接続されて形成されたグローバルなネットワークであり、情報をパケット化して伝送する。
【００２９】
相性判定装置５０は、後述するように、携帯電話機を操作してアクセスしてきた２人のユーザの相性を判定して、その結果を返す装置である。なお、本明細書中において「相性」とは、ユーザ同士の性格の適合性が良好であることをいい、現在のみならず将来における適合性も含むものとする。
【００３０】
グリーティングカード６０は、時候の挨拶等が印刷されているとともに、相性判定装置５０にアクセスする際に必要な情報その他が印刷された紙媒体である。このグリーティングカード６０は、第１のユーザによって購入された後、第２のユーザに譲渡される。
【００３１】
図２は、図１に示す携帯電話機１０の詳細な構成例を示す図である。なお、携帯電話機１０と携帯電話機２０は同様の構成とされているので、携帯電話機１０を例に挙げて説明する。
【００３２】
携帯電話機１０は、ＣＰＵ（Central Processing Unit）１０ａ、ＲＯＭ（Read Only Memory）１０ｂ、ＲＡＭ（Random Access Memory）１０ｃ、ＥＥＰＲＯＭ（Electronically Erasable and Programmable ROM）１０ｄ、ビデオ回路１０ｅ、Ｉ／Ｆ（Interface）１０ｆ、バス１０ｇ、表示装置１０ｈ、入力装置１０ｉ、通信装置１０ｊ、および、音声入出力装置１０ｋを主な構成要素としている。
【００３３】
ここで、ＣＰＵ１０ａは、ＲＯＭ１０ｂおよびＥＥＰＲＯＭ１０ｄに格納されているプログラムに応じて装置の各部を制御するとともに、種々の演算処理を実行する処理回路である。
【００３４】
ＲＯＭ１０ｂは、ＣＰＵ１０ａが実行する基本的なプログラムまたはデータを格納している記憶回路である。ＲＡＭ１０ｃは、ＣＰＵ１０ａが実行するプログラムまたはデータを一時的に格納する記憶回路である。
【００３５】
ＥＥＰＲＯＭ１０ｄは、書き換え可能な不揮発性の記憶回路であり、例えば、ファームウエアを記憶している。
【００３６】
ビデオ回路１０ｅは、ＣＰＵ１０ａから供給された描画命令に従って描画処理を実行し、得られた画像データを映像信号に変換して表示装置１０ｈに出力する。
【００３７】
Ｉ／Ｆ１０ｆは、入力装置１０ｉ、通信装置１０ｊ、および、音声入出力装置１０ｋとの間でデータを授受する際に、データの表現形式を変換する。
【００３８】
バス１０ｇは、ＣＰＵ１０ａ、ＲＯＭ１０ｂ、ＲＡＭ１０ｃ、ＥＥＰＲＯＭ１０ｄ、ビデオ回路１０ｅ、および、Ｉ／Ｆ１０ｆを相互に接続し、これらの間で情報の授受を可能とする信号線群である。
【００３９】
表示装置１０ｈは、例えば、ＬＣＤ（Liquid Crystal Display）によって構成され、ビデオ回路５０ｅから供給された映像信号を表示する。
【００４０】
入力装置１０ｉは、例えば、操作ボタン等によって構成され、ユーザの操作に応じた情報を生成して出力する。
【００４１】
通信装置１０ｊは、基地局３０との間で電波により情報を授受するための装置であり、アンテナ、送信回路、および、受信回路等によって構成されている。
【００４２】
音声入出力装置１０ｋは、音声を入力するためのマイクロフォンおよびＡ／Ｄ（Analog to Digital）変換回路ならびに音声を出力するためのＤ／Ａ（Digital to Analog）変換回路およびスピーカ等によって構成されている。
【００４３】
つぎに、図３を参照して、図１に示す相性判定装置５０の詳細な構成例を説明する。
【００４４】
図３に示すように、相性判定装置５０は、ＣＰＵ５０ａ、ＲＯＭ５０ｂ、ＲＡＭ５０ｃ、ＨＤＤ（Hard Disk Drive）５０ｄ、ビデオ回路５０ｅ、Ｉ／Ｆ５０ｆ、バス５０ｇ、表示装置５０ｈ、入力装置５０ｉ、および、外部記憶装置５０ｊを主要な構成要素としている。
【００４５】
ここで、第１の認証手段の一部、第２の認証手段の一部、第１の呈示手段の一部、第２の呈示手段の一部、第１の採点手段の一部、第２の採点手段の一部、判定手段の一部、通知手段、および、提供手段としてのＣＰＵ５０ａは、ＲＯＭ５０ｂおよびＨＤＤ５０ｄに格納されているプログラムに応じて装置の各部を制御するとともに、種々の演算処理を実行する処理回路である。
【００４６】
ＲＯＭ５０ｂは、ＣＰＵ５０ａが実行する基本的なプログラムまたはデータを格納している記憶回路である。ＲＡＭ５０ｃは、ＣＰＵ５０ａが実行するプログラムまたはデータを一時的に格納する記憶回路である。
【００４７】
ＨＤＤ５０ｄは、磁気ディスクに情報を記録する装置であり、ＣＰＵ５０ａが実行するプログラムおよびデータを格納している。具体的には、ＨＤＤ５０ｄは、ホームページ（ＨＰ）用ＤＢ（Data Base）５０ｄ１、判定用ＤＢ５０ｄ２、および、ＩＤ管理用ＤＢ５０ｄ３を有している。ここで、提供手段の一部、第１の呈示手段の一部、および、第２の呈示手段の一部としてのＨＰ用ＤＢ５０ｄ１は、携帯電話機１０，２０からアクセスがなされた場合に所定のホームページを表示するためのＨＴＭＬ（Hyper Text Markup Language）文書およびＣＧＩ（Common Gateway Interface）プログラム等を格納しているデータベースである。第１の採点手段の一部、第２の採点手段の一部、および、判定手段の一部としての判定用ＤＢ５０ｄ２は、相性を判定するための心理テストに関する情報および心理テストによる判定の基準に関する情報を格納したデータベースである。第１の認証手段の一部および第２の認証手段の一部としてのＩＤ管理用ＤＢ５０ｄ３は、正当なユーザであるか否かを判定するためのＩＤを格納するとともに、当該ＩＤに関する情報を格納するためのデータベースである。
【００４８】
ビデオ回路５０ｅは、ＣＰＵ５０ａから供給された描画命令に従って描画処理を実行し、得られた画像データを映像信号に変換して表示装置５０ｈに出力する。
【００４９】
Ｉ／Ｆ５０ｆは、入力装置５０ｉ、外部記憶装置５０ｊ、および、インターネット４０との間でデータを授受する際に、データの表現形式を変換する。
【００５０】
バス５０ｇは、ＣＰＵ５０ａ、ＲＯＭ５０ｂ、ＲＡＭ５０ｃ、ＨＤＤ５０ｄ、ビデオ回路５０ｅ、および、Ｉ／Ｆ５０ｆを相互に接続し、これらの間で情報を授受するための信号線群である。
【００５１】
表示装置５０ｈは、例えば、ＣＲＴ（Cathode Ray Tube）モニタ等によって構成され、ビデオ回路５０ｅから出力された映像信号を表示する。
【００５２】
入力装置５０ｉは、例えば、キーボード等によって構成され、相性判定装置５０を管理する管理者の操作に応じた情報を生成して出力する。
【００５３】
外部記憶装置５０ｊは、例えば、磁気記憶装置によって構成され、Ｉ／Ｆ５０ｆを介してＣＰＵ５０ａから供給された情報を格納するとともに、格納されている情報をＣＰＵ５０ａの要求に応じて読み出して出力する。
【００５４】
つぎに、本発明の実施の形態に係る相性判定装置５０を有する相性判定システムの動作について説明する。
【００５５】
このシステムによる判定を受けるためには、まず、携帯電話機１０を有するユーザである第１のユーザがグリーティングカード６０を店舗にて購入する。なお、店舗ではなく、例えば、通信販売等により購入することも可能である。また、他の商品または役務に付随する商品として、当該商品または役務と併せて購入することも可能である。例えば、バレンタインチョコレートのおまけ商品として、チョコレートと併せて購入することも可能である。
【００５６】
図４および図５は、グリーティングカード６０の詳細を説明するための図である。図４（Ａ）は、グリーティングカード６０の表（おもて）面を表す図である。この図に示すように、グリーティングカード６０の表面６０ａは、左側部分６０ａ１および右側部分６０ａ２の２つの部分より構成されている。左側部分６０ａ１内の上部にはシール６１が貼付されている。ここで、シール６１の表面には、相性判定装置５０が有する電子メールアドレスを示す情報（メールアドレス：○＠○○○）と、それぞれのグリーティングカード６０に付与されたユニークな文字、記号もしくは数字またはこれらの組み合わせであるＩＤ情報（ＩＤ：２４５６５４７８０１）とが印刷されている。また、グリーティングカード６０の裏（うら）面６０ｂについても、左側部分６０ｂ１および右側部分６０ｂ２の２つの部分により構成されている。左側部分６０ｂ１内の上部には、シール６２が貼付されている。
【００５７】
図５は、シール６１，６２を剥がした場合の状態を示す図である。ここで、図５（Ａ）は、シール６１を剥がした状態を示している。この図に示すように、破線で示すように、シール６１を剥がすと、その下には何も印刷されていない状態となっている。なお、シール６１の下に何らかの情報（例えば、画像情報）を印刷してもよい。
【００５８】
図５（Ｂ）は、シール６２を剥がした状態を示す図である。この図に示すように、シール６２を剥がすと、シール６２が貼られていた領域には複数の情報が印刷されている。すなわち、当該領域の最上部には、メッセージ「携帯電話で二人の相性が分かります。」が印刷されている。その下には、相性判定装置５０が有する電子メールアドレスを示す情報（メールアドレス：○＠○○○）と、それぞれのグリーティングカード６０に付与されたユニークな文字、記号もしくは数字またはこれらの組み合わせであるＩＤ情報（ＩＤ：２４５６５４７８０１）とが印刷されている。また、その下には、このグリーティングカード６０の使用期間を示す情報「相性心理テスト可能期間  ２００４／１／１４〜２００４／２／１４」が印刷されている。なお、シール６１，６２は、一度剥がすと再度貼り直すことができない構造となっており、第三者による情報の盗難を防止する。
【００５９】
つぎに、携帯電話機１０、相性判定装置５０、および、携帯電話機２０の間における情報の流れについて図６を参照して説明する。
【００６０】
まず、このようなグリーティングカード６０を購入した第１のユーザは、携帯電話機１０を操作し、図４に示すシール６１に印刷されている電子メールアドレス「○＠○○○」に対して空の（メッセージが記載されていない）電子メールを送信する（ステップＳ１）。すなわち、第１のユーザが入力装置１０ｉを操作して、グリーティングカード６０のシール６１に印刷されているメールアドレスを送り先とする電子メールを作成した後、送信する操作を行うと、当該電子メールは、ＣＰＵ１０ａによってＩ／Ｆ１０ｆを介して通信装置１０ｊに受け渡され、通信装置１０ｊによって送信先である相性判定装置５０に送信される。
【００６１】
相性判定装置５０は、Ｉ／Ｆ５０ｆを介してこの電子メールを受信し、送信者を宛先とする返信の電子メールを作成するとともに、相性判定装置５０が公開する相性判定を行うサイトのフロント画面にアクセスするためのＵＲＬ（Uniform Resource Locator）をメッセージとして添付し、携帯電話機１０に対して送信する（ステップＳ２）。
【００６２】
相性判定装置５０からの電子メールを受信した携帯電話機１０の第１のユーザは、電子メールのメッセージとして添付されているＵＲＬに対してアクセスする操作を行う（ステップＳ３）。その結果、相性判定装置５０に対してアクセス要求がなされ、相性判定装置５０のＣＰＵ１０ａは、ＨＤＤ５０ｄのＨＰ用ＤＢ５０ｄ１から、フロント画面を表示するための所定のＨＴＭＬ文書を読み出し、Ｉ／Ｆ５０ｆを介して携帯電話機１０に送信する（ステップＳ４）。
【００６３】
図７（Ａ）は、このとき、携帯電話機１０の表示装置１０ｈに表示されるフロント画面の一例を示す図である。この例では、表示装置１０ｈの最上部にはタイトル７０としての「☆☆  相性判定  ☆☆」が表示されている。その下には、メッセージ７１としての「お手元のグリーティングカードのＩＤ番号を入力してください。」が表示されている。その下にはＩＤを入力するためのテキストボックス７２が表示されている。さらにその下には、入力したＩＤを相性判定装置５０に送信する場合に操作されるボタン７３が表示されている。このような画面において、第１のユーザは、図４（Ａ）に示すシール６１に印刷されているＩＤを入力装置１０ｉを操作してテキストボックス７２に入力し、同じく入力装置１０ｉを操作してボタン７３を押圧する。その結果、テキストボックス７２に入力されたＩＤがＩ／Ｆ１０ｆを介して相性判定装置５０に送信される（ステップＳ５）。
【００６４】
相性判定装置５０のＣＰＵ１０ａは、携帯電話機１０から送信されてきたＩＤを受信し、ＩＤ管理用ＤＢ５０ｄ３を参照して、受信したＩＤが有効であるか否かを判定する（Ｐ１）。
【００６５】
図８は、ＩＤ管理用ＤＢ５０ｄ３に格納されている情報の一例を示す図である。この図に示すように、ＩＤ管理用ＤＢ５０ｄ３には、「ＩＤ」、「有効期間」、「ステータス」、「テスト種類」、「第１の評価」、「第２の評価」、および、「判定結果」が格納されている。ここで、「ＩＤ」は、ユニークな番号であり、製造されたすべてのグリーティングカード６０に印刷されているものと同一の番号が格納されている。なお、この例では、１０桁の数字とされているが、アルファベットまたは記号等を含むようにしてもよい。「有効期間」は、当該ＩＤの使用できる期間を示している。
【００６６】
「ステータス」は、各ユーザが心理テストを受けたか否かを示す情報（「心理テスト」）および各ユーザが待ち受け画面をダウンロードしたか否かを示す情報（「ダウンロード」）を格納している。具体的には、「心理テスト」については、第１および第２のユーザのいずれもが心理テストを受けてない状態を示す「−」、第１のユーザだけが心理テストを受けた状態を示す「１回目のテスト終了」、および、双方のユーザが心理テストを受けた状態を示す「２回目の心理テスト終了」のいずれかが格納される。また、「ダウンロード」については、第１および第２のユーザのいずれもが待ち受け画面をダウンロードしていない状態を示す「−」、第１のユーザだけが心理テストを受けた状態を示す「１回目のダウンロード終了」、および、双方のユーザが心理テストを受けた状態を示す「２回目のダウンロード終了」のいずれかが格納される。
【００６７】
「テスト種類」は、第１のユーザが複数の心理テストの中からいずれの心理テストを受けたかを示す情報である。「第１の評価」は、１回目の心理テストを受けた第１のユーザの心理テストの結果を示す情報である。「第２の評価」は、２回目の心理テストを受けた第２のユーザの心理テストの結果を示す情報である。「判定結果」は、「第１の評価」および「第２の評価」に基づいて第１および第２のユーザの相性を判定した結果を示す情報である。
【００６８】
ＣＰＵ５０ａは、まず、送られてきたＩＤがＩＤ管理用ＤＢ５０ｄ３に存在するか否かを判定し、存在しない場合には処理を中止する。また、存在する場合には、その時点における日時を参照して、有効期間中の使用に該当するか否かを判定し、有効期間中でない場合には処理を中止する。有効期間中の使用に該当する場合には、心理テストのステータスを参照して、「−」であるか否かを判定する。そして、ステータスが「−」である場合には、以下の処理を実行する。
【００６９】
相性判定装置５０のＣＰＵ５０ａは、認証処理に成功した場合には、ＨＤＤ５０ｄのＨＰ用ＤＢ５０ｄ２から心理テスト選択画面を表示するためのＨＴＭＬ文書を取得し、Ｉ／Ｆ５０ｆを介して携帯電話機１０に送信する（ステップＳ６）。携帯電話機１０のＣＰＵ１０ａは、受信したＨＴＭＬ文書をビデオ回路１０ｅに供給して表示装置１０ｈに表示させる。その結果、携帯電話機１０の表示装置１０ｈには、図７（Ｂ）に示すような情報が表示されることになる。
【００７０】
図７（Ｂ）に示す表示例では、表示装置１０ｈの最上部にはタイトル８０としての「☆☆  相性判定  ☆☆」が表示されている。その下には、メッセージ８１としての「判定するテーマを以下から選択して下さい。」が表示されている。その下には、選択肢８２〜８４としての「１．二人の相性を診断」、「２．二人の将来を診断」、および、「３．二人の波乱度を診断」が表示されている。また、最下部には元の画面に戻る場合に操作されるボタン８５および選択された選択肢で決定する場合に操作されるボタン８６が表示されている。このような画面において、例えば、第１番目の選択肢８２としての「１．二人の相性を診断」が選択された場合には、当該選択肢が選択されたことを示す情報（選択情報）がＩ／Ｆ１０ｆを介して相性判定装置５０に送信される（ステップＳ７）。
【００７１】
相性判定装置５０のＣＰＵ５０ａは、携帯電話機１０から送信されてきた選択情報を受信し、該当する心理テストを判定用ＤＢ５０ｄ２から取得して携帯電話機１０に送信する（ステップＳ８）。また、選択された心理テストを示す情報をＩＤ管理用ＤＢ５０ｄ３に格納する。その結果、携帯電話機１０の表示装置１０ｈには、図９（Ａ）に示すような情報が表示される。
【００７２】
図９（Ａ）に示す表示例では、表示装置１０ｈの最上部には、タイトル９０としての「☆☆  相性判定  ☆☆」が表示されている。その下には、質問９１としての「Ｑ１．服を買いに出かけました。あなたはどんな服を買う？」が表示されている。その下には、選択肢９２〜９４としての「１．シンプルだけど上質な服を買う。」、「２．今流行っているデザインの服を買う。」、および、「３．他人とは違う個性的なデザインの服を買う。」が表示されている。また、最下部には元の画面に戻る場合に操作されるボタン９５および選択された選択肢で決定する場合に操作されるボタン９６が表示されている。このような画面において、例えば、第３番目の選択肢９３としての「３．他人とは違う個性的なデザインの服を買う。」が選択された場合には、当該選択肢が選択されたことを示す情報（回答情報）がＩ／Ｆ１０ｆを介して相性判定装置５０に送信される（ステップＳ９）。
【００７３】
なお、このとき、図９（Ｂ）に示す情報を表示装置１０ｈに表示して、選択された肢を確認するようにしてもよい。この表示例では、表示装置１０ｈの最上部には、タイトル１００としての「☆☆  相性判定  ☆☆」が表示されている。その下には、メッセージ１０１としての「Ｑ１の答えの確認」が表示されている。その下には、図９（Ａ）において選択された肢１０２としての「３．他人とは違う個性的なデザインの服を買う。」が表示されている。その下にはメッセージ１０３としての「これで良いですか？」が表示されている。さらに、最下部には元の画面に戻る場合に操作されるボタン１０４、表示されている選択肢で間違いない場合に操作されるボタン１０５、および、表示されている選択肢が間違っている場合に操作されるボタン１０６が表示されている。このような画面において、例えば、ボタン１０５が操作された場合にはつぎの質問に進み、ボタン１０６が選択された場合には図９（Ａ）の画面に戻ることになる。
【００７４】
なお、図６に示すステップＳ８およびステップＳ９の処理は、各心理テストの問題の数だけ繰り返されることになる。例えば、問題数が２０問である場合には、ステップＳ８およびステップＳ９の処理が２０回繰り返されることになる。
【００７５】
選択された心理テストの問題の回答がすべて終了すると、相性判定装置５０のＣＰＵ５０ａは、得られた回答を判定用ＤＢ５０ｄ２に格納されている判定用の情報と比較して、評価処理を実行する（Ｐ２）。具体的には、例えば、図９（Ａ）に示す問題の場合では、選択肢９２が選択された場合には１ポイントとし、選択肢９３が選択された場合には２ポイントとし、選択肢９４が選択された場合には３ポイントとして、それぞれの問題におけるポイントを累積的に加算する。そして得られた総合ポイントを、ＨＤＤ５０ｄのＩＤ管理用ＤＢ５０ｄ３に「第１の評価」（図８参照）として格納する。また、心理テストのステータスとして「１回目のテスト終了」を格納する。
【００７６】
以上の処理により、第１のユーザに対する心理テストが完了し、得られた評価結果がＩＤ管理用ＤＢ５０ｄ３にＩＤに対応付けして格納される。
【００７７】
つぎに、相性判定装置５０のＣＰＵ５０ａは、心理テストが終了したことを示す画面を表示するためのＨＴＭＬ文書をＨＰ用ＤＢ５０ｄ１から取得して、携帯電話機１０に送信する。その結果、携帯電話機１０の表示装置１０ｈには、図１０（Ａ）に示す情報が表示される。この例では、表示装置１０ｈの最上部には、タイトル１１０としての「☆☆  相性判定  ☆☆」が表示されている。その下には、メッセージ１１１としての「すべての回答が終了しました。」が表示されている。その下には、メッセージ１１２としての「相手の方が回答されるまでお待ち下さい。」が表示されている。さらに、最下部には元の画面に戻る場合に操作されるボタン１１３、および、終了する場合に操作されるボタン１１４が表示されている。例えば、このような画面において、ボタン１１４が操作されると、処理を完了して、ログアウトすることになる。
【００７８】
心理テストが完了すると、第１のユーザは、図４（Ａ）に示すシール６１を剥がして保存した後、グリーティングカード６０を第２のユーザに譲渡する（ステップＳ１１）。なお、グリーティングカード６０を譲渡する方法としては、プレゼントに添付して渡したり、単独で渡したりする方法がある。直接渡さずに郵送等によって渡しても良い。
【００７９】
グリーティングカード６０を受け取った第２のユーザは、まず、シール６２を剥がす。すると、図５（Ｂ）に示すように、このグリーティングカード６０を利用することで、２人（第１のユーザおよび第２のユーザ）の相性を判定することができることを知る。
【００８０】
第２のユーザがグリーティングカード６０を参照して、携帯電話機２０から空の電子メールをアドレス「○＠○○○」に送信すると（ステップＳ１２）、相性判定装置５０はＵＲＬが添付された電子メールを返信する（ステップＳ１３）。第２のユーザは、受信した電子メールの当該ＵＲＬをクリックすることにより、携帯電話機２０を介して相性判定装置５０にアクセスする（ステップＳ１４）。
【００８１】
相性判定装置５０は、ＨＰ用ＤＢ５０ｄ１からフロント画面用のＨＴＭＬ文書を取得し、携帯電話機２０に送信する。その結果、携帯電話機２０の図示せぬ表示装置２０ｈには、図７（Ａ）に示すようなフロント画面が表示される。このような画面において、第２のユーザがグリーティングカード６０に印刷されているＩＤを入力すると、当該ＩＤは相性判定装置５０に送信される。
【００８２】
相性判定装置５０のＣＰＵ５０ａは、携帯電話機２０から送信されてきたＩＤを受信し、認証処理を実行する（Ｐ３）。具体的には、ＣＰＵ５０ａは、まず、送られてきたＩＤがＩＤ管理用ＤＢ５０ｄ３に存在するか否かを判定し、存在しない場合には処理を中止する。また、存在する場合には、その時点における日時を参照して、有効期間中の使用に該当するか否かを判定し、有効期間中でない場合には処理を中止する。有効期間中の使用に該当する場合には、心理テストに関するステータスを参照して、「１回目のテスト終了」の状態であるか否かを判定し、該当する場合には以下の処理を実行する。
【００８３】
相性判定装置５０のＣＰＵ５０ａは、認証処理に成功した場合には、相性判定装置５０のＣＰＵ５０ａは、ＩＤ管理用ＤＢ５０ｄ３を検索して第１のユーザが受けた心理テストの種類を特定し、これと同一の心理テストを判定用ＤＢ５０ｄ２から取得して、携帯電話機２０に送信する（ステップＳ１７）。その結果、携帯電話機２０の図示せぬ表示装置２０ｈには、図９（Ａ）に示すような情報が表示される。なお、心理テストに関する処理については、前述した携帯電話機１０の場合と同様であるので、その詳細な説明は省略する。
【００８４】
第２のユーザによる心理テストがすべて終了すると、相性判定装置５０のＣＰＵ５０ａは、得られた回答を判定用ＤＢ５０ｄ２に格納されている判定用の情報と比較して、評価処理を実行する（Ｐ４）。具体的には、前述の第１のユーザの評価と同様に、例えば、図９（Ａ）に示す問題の場合では、選択肢９２が選択された場合には１ポイントとし、選択肢９３が選択された場合には２ポイントとし、選択肢９４が選択された場合には３ポイントとして、それぞれの問題におけるポイントを累積的に加算する。そして得られた総合ポイントを第２のユーザの評価結果として、ＨＤＤ５０ｄのＩＤ管理用ＤＢ５０ｄ３に「第２の評価」（図８参照）として格納する。また、心理テストのステータスとして「２回目のテスト終了」を格納する。
【００８５】
つぎに、ＩＤ管理用ＤＢ５０ｄ３に格納されている第１のユーザと第２のユーザのそれぞれの心理テストの総合ポイントを比較し、これら２人のユーザの相性を判定する（Ｐ５）。具体的には、２人のユーザの総合ポイントの差が小さいほど相性が高いと判断し、総合ポイントの差が大きいほど相性が低いと判断する。そして、ＣＰＵ５０ａは、得られた結果をＩＤ管理用ＤＢ５０ｄ３に「判定結果」（図８参照）として格納する（Ｐ６）。なお、判定方法としては、これ以外の方法に基づいてもよい。
【００８６】
つづいて、ＣＰＵ５０ａは、ＨＰ用ＤＢ５０ｄ１から、終了画面を表示するための所定のＨＴＭＬ文書を取得して、携帯電話機２０に送信する。携帯電話機２０のＣＰＵ２０ａは、受信したＨＴＭＬ文書を図示せぬ表示装置２０ｈに表示させる。その結果、図示せぬ表示装置２０ｈには、図１０（Ｂ）に示すような情報が表示される。この例では、表示装置２０ｈの最上部には、タイトル１２０としての「☆☆  相性判定  ☆☆」が表示されている。その下には、メッセージ１２１としての「すべての回答が終了しました。」が表示されている。その下には、メッセージ１２２としての「判定結果を表示しますか？」が表示されている。さらに、最下部には元の画面に戻る場合に操作されるボタン１２３、判定結果を表示する場合に操作されるボタン１２４、および、判定結果を表示しないで終了する場合に操作されるボタン１２５が表示されている。例えば、このような画面において、ボタン１２４が操作されると、判定結果が表示され、また、ボタン１２５が操作されると処理が終了する。
【００８７】
以上の処理により、第１および第２のユーザのそれぞれの評価が相性判定装置５０のＩＤ管理用ＤＢ５０ｄ３に格納されるとともに、これらの評価に基づいて算定された２人のユーザの相性に関する情報が同じくＩＤ管理用ＤＢ５０ｄ３に格納される。
【００８８】
以上の処理が終了すると、第２のユーザは、第１のユーザに対して回答が終了したことを、例えば、電話または電子メール等によって通知する。第１のユーザは、第２のユーザからの通知により、相性の判定が終了したことを知る。なお、第１のユーザの電子メールアドレスを、ＩＤ管理用ＤＢ５０ｄ３に登録しておき、第２のユーザによる回答が終了した場合には、当該電子メールアドレスに対して、回答が終了した旨を示すメッセージを記載した電子メールを送信することも可能である。
【００８９】
つぎに、図１１を参照して、第１および第２のユーザが相性の判定結果を閲覧するとともに、相性に応じた待ち受け画面をダウンロードする場合の処理について説明する。
【００９０】
相性の判定が終了すると、第１のユーザまたは第２のユーザは、判定結果を得るために、携帯電話機１０，２０を操作して、相性判定装置５０にアクセスする（ステップＳ３０）。なお、第２のユーザに関しては、図１０（Ｂ）に示すボタン１２４を操作することにより、ログアウトすることなく、継続して判定結果を閲覧することができる。なお、その場合には、図１１に示すステップＳ３３以降の処理が実行される。
【００９１】
相性判定装置５０のＣＰＵ５０ａは、ＨＤＤ５０ｄのＨＰ用ＤＢ５０ｄ１から、フロント画面を表示するための所定のＨＴＭＬ文書を読み出し、Ｉ／Ｆ５０ｆを介して携帯電話機１０または携帯電話機２０に送信する（ステップＳ３１）。
【００９２】
このとき、携帯電話機１０の表示装置１０ｈまたは携帯電話機２０の表示装置２０ｈ（図示せず）には、図７（Ａ）に示すフロント画面が表示される。なお、表示されている内容は、前述の場合と同様であるのでその詳細な説明は省略する。
【００９３】
このような画面において、第１のユーザは、図４（Ａ）に示すシール６１に印刷されているＩＤを入力装置１０ｉを操作してテキストボックス７２に入力し、同じく入力装置１０ｉを操作してボタン７３を操作する。その結果、テキストボックス７２に入力されたＩＤがＩ／Ｆ１０ｆを介して相性判定装置５０に送信される（ステップＳ３２）。
【００９４】
一方、第２のユーザは、グリーティングカード６０の裏面６０ｂに印刷されているＩＤ（図５（Ｂ）参照）を入力装置２０ｉ（図示せず）を操作してテキストボックス７２に入力し、同じく入力装置２０ｉを操作してボタン７３を操作する。その結果、テキストボックス７２に入力されたＩＤがＩ／Ｆ２０ｆ（図示せず）を介して相性判定装置５０に送信される（ステップＳ３２）。
【００９５】
相性判定装置５０のＣＰＵ５０ａは、携帯電話機１０または携帯電話機２０から送信されてきたＩＤを受信し、ＩＤ管理用ＤＢ５０ｄ３を参照して、受信したＩＤが有効であるか否かを判定する認証処理を実行する（Ｐ１０）。具体的には、ＣＰＵ５０ａは、まず、送られてきたＩＤがＩＤ管理用ＤＢ５０ｄ３に存在するか否かを判定し、存在しない場合には処理を中止する。また、存在する場合には、その時点における日時を参照して、有効期間中の使用に該当するか否かを判定し、有効期間中でない場合には処理を中止する。有効期間中の使用に該当する場合には、心理テストのステータスが「２回目のテスト終了」の状態であるか否かを判定する。該当する場合には、以下の処理を実行する。
【００９６】
相性判定装置５０のＣＰＵ５０ａは、認証処理が成功した場合には、ＨＤＤ５０ｄのＨＰ用ＤＢ５０ｄ１から相性の判定結果を表示するためのＨＴＭＬ文書を取得し、Ｉ／Ｆ５０ｆを介して携帯電話機１０または携帯電話機２０に送信する。携帯電話機１０または携帯電話機２０のＣＰＵ１０ａまたはＣＰＵ２０ａ（図示せず）は、受信したＨＴＭＬ文書をビデオ回路１０ｅまたはビデオ回路２０ｅ（図示せず）に供給して表示装置１０ｈまたは表示装置２０ｈ（図示せず）に表示させる。その結果、携帯電話機１０または携帯電話機２０の表示装置１０ｈには、図１２（Ａ）に示すような情報が表示されることになる。
【００９７】
図１２（Ａ）に示す表示例では、表示装置１０ｈ（または表示装置２０ｈ（図示せず））の最上部には、タイトル１３０としての「☆☆  相性判定  ☆☆」が表示されている。その下には、判定結果１３１としての「二人の相性は８０％です。」が表示されている。その下には、メッセージ１３２としての「二人の相性に応じた待ち受け画面をプレゼントします。」が表示されている。その下には、メッセージ１３３としての「以下の空欄にＩＤを入力して下さい。」が表示されている。その下には、ＩＤが入力されるテキストボックス１３４が表示されている。さらに、最下部には元の画面に戻る場合に操作されるボタン１３５、および、入力されたＩＤを送信する場合に操作されるボタン１３６が表示されている。
【００９８】
このような画面に表示された情報を参照することにより、第１のユーザおよび第２のユーザは、２人の相性を知ることができる。なお、図７（Ｂ）において他の心理テストが選択された場合には、選択された心理テストに応じた結果が表示される。具体的には、二人の将来または波乱度を数値として示した結果が表示される。
【００９９】
図１２（Ａ）に示す画面において、第１のユーザまたは第２のユーザがＩＤをテキストボックス１３４に入力して、ボタン１３６を操作すると、入力されたＩＤが相性判定装置５０に送信される（ステップＳ３４）。相性判定装置５０では、受信したＩＤに対する認証処理を実行する（Ｐ１１）。具体的には、ＣＰＵ５０ａは、まず、送られてきたＩＤがＩＤ管理用ＤＢ５０ｄ３に存在するか否かを判定し、存在しない場合には処理を中止する。また、存在する場合には、その時点における日時を参照して、有効期間中の使用に該当するか否かを判定し、有効期間中でない場合には処理を中止する。有効期間中の使用に該当する場合には、ダウンロードのステータスが「−」または「１回目のダウンロード終了」であるか否かを判定する。該当する場合には、以下の処理を実行する。
【０１００】
相性判定装置５０のＣＰＵ５０ａは、アクセスしてきた携帯電話機１０または携帯電話機２０に対して、相性判定結果に応じた待ち受け画面情報をＨＰ用ＤＢ５０ｄ１から取得し、Ｉ／Ｆ５０ｆを介して送信する。その結果、携帯電話機１０または携帯電話機２０の表示装置１０ｈまたは表示装置２０ｈ（図示せず）には、図１２（Ｂ）に示すような情報が表示される。
【０１０１】
図１２（Ｂ）の例では、表示装置１０ｈ（または表示装置２０ｈ（図示せず））の最上部には、タイトル１４０としての「大切な思い出に・・・。」が表示されている。その下には、判定結果に応じた画像が表示されている。このような画像を受信した第１のユーザまたは第２のユーザは、当該画像を携帯電話機１０または携帯電話機２０のＥＥＰＲＯＭ１０ｄまたはＥＥＰＲＯＭ２０ｄ（図示せず）に登録するとともに、当該登録された画像を待ち受け画像として利用することができる。
【０１０２】
つぎに、図１３および図１４を参照して、相性判定装置５０において実行される処理の詳細について説明する。なお、図１３および図１４に示す処理は、ＨＤＤ５０ｄに格納されているプログラムが実行されることにより実現される。
【０１０３】
図１３は、相性判定装置５０において実行される処理の流れを説明するためのフローチャートである。このフローチャートの処理が開始されると、以下のステップが実行される。
【０１０４】
ステップＳ５０：ＣＰＵ５０ａは、携帯電話機１０または携帯電話機２０から送信されてきた空の電子メールを受信したか否かを判定し、受信した場合にはステップＳ５１に進み、それ以外の場合には同様の処理を繰り返す。
【０１０５】
ステップＳ５１：ＣＰＵ５０ａは、ステップＳ５０において受信した電子メールの送信元を送信相手とする新たな電子メールを生成し、メッセージとして相性判定装置５０が提供する相性判定サービスのフロント画面にアクセスするためのＵＲＬを記載して、電子メールを送信してきた携帯電話機１０または携帯電話機２０に送信（返信）する。
【０１０６】
ステップＳ５２：ＣＰＵ５０ａは、ステップＳ５１において送信したＵＲＬに基づいて携帯電話機１０または携帯電話機２０がアクセスしてきたか否かを判定し、アクセスしてきた場合にはステップＳ５３に進み、それ以外の場合には同様の処理を繰り返す。
【０１０７】
ステップＳ５３：ＣＰＵ５０ａは、ＩＤを入力する画面（図７（Ａ）参照）を表示するためのＨＴＭＬ文書をＨＰ用ＤＢ５０ｄ１から取得し、Ｉ／Ｆ５０ｆを介してアクセスしてきた携帯電話機１０または携帯電話機２０に送信する。その結果、携帯電話機１０または携帯電話機２０には、図７（Ａ）に示すような画面が表示される。
【０１０８】
ステップＳ５４：ＣＰＵ５０ａは、携帯電話機１０または携帯電話機２０から送信されてきたＩＤに基づいて認証処理を実行した結果、認証が成功したか否かを判定し、成功した場合にはステップＳ５５に進み、それ以外の場合には処理を終了する。具体的には、ＩＤ管理用ＤＢ５０ｄ３に格納されている情報（図８参照）を参照し、ＩＤが有効に存在し、かつ、有効期間中である場合には認証に成功したとしてステップＳ５５に進む。
【０１０９】
ステップＳ５５：ＣＰＵ５０ａは、ＩＤ管理用ＤＢ５０ｄ３に格納されている情報（図８）を参照し、１回目の心理テストである場合（図８の「ステータス」の「心理テスト」に格納されている情報が「−」である場合）には、ステップＳ５６に進み、それ以外の場合にはステップＳ６１に進む。
【０１１０】
ステップＳ５６：ＣＰＵ５０ａは、心理テストを選択するための画面を携帯電話機１０に表示させる。すなわち、ＣＰＵ５０ａは、心理テスト選択用の画面（図７（Ｂ）参照）を表示するためのＨＴＭＬ文書をＨＰ用ＤＢ５０ｄ１から取得し、Ｉ／Ｆ５０ｆを介して携帯電話機１０に送信する。
【０１１１】
ステップＳ５７：ＣＰＵ５０ａは、ステップＳ５６において表示された画面で選択された心理テストを表示するためのＨＴＭＬ文書をＨＰ用ＤＢ５０ｄ１から取得し、Ｉ／Ｆ５０ｆを介して携帯電話機１０に送信する。その結果、携帯電話機１０の表示装置１０ｈには、図９（Ａ）に示すような情報が表示される。
【０１１２】
ステップＳ５８：ＣＰＵ５０ａは、携帯電話機１０から送信されてきた心理テストの問題に対する回答を受信する。なお、ステップＳ５７およびステップＳ５８の処理は、心理テストの問題数に応じて繰り返し実行される。
【０１１３】
ステップＳ５９：ＣＰＵ５０ａは、ステップＳ５８において受信した回答と、判定用ＤＢ５０ｄ２に格納されている情報とを比較して評価を行う。具体的には、質問毎に選択された肢に応じたポイントを累積加算し、トータルのポイントを得る。
【０１１４】
ステップＳ６０：ＣＰＵ５０ａは、ステップＳ５９において得られた心理テストの評価結果をＩＤ管理用ＤＢ５０ｄ３に登録する。具体的には、得られたポイントを図８に示す第１の評価として登録する。なお、このとき、ＩＤ管理用ＤＢ５０ｄ３の「ステータス」の「心理テスト」については「１回目のテスト終了」とする。
【０１１５】
ステップＳ６１：ＣＰＵ５０ａは、終了画面を表示するためのＨＴＭＬ文書をＨＰ用ＤＢ５０ｄ１から取得し、Ｉ／Ｆ５０ｆを介して携帯電話機１０に送信する。その結果、携帯電話機１０の表示装置１０ｈには、図１０（Ａ）に示すような情報が表示される。
【０１１６】
ステップＳ６２：ＣＰＵ５０ａは、ＩＤ管理用ＤＢ５０ｄ３に格納されている情報（図８）を参照し、２回目の心理テストである場合（図８の「ステータス」の「心理テスト」に格納されている情報が「１回目のテスト終了」である場合）には、ステップＳ６３に進み、それ以外の場合にはステップＳ６８に進む。
【０１１７】
ステップＳ６３：ＣＰＵ５０ａは、１回目の心理テストで選択されたものと同一の心理テストを携帯電話機２０に送信する。すなわち、ＣＰＵ５０ａは、ＩＤ管理用ＤＢ５０ｄ３に登録されている「テスト種類」を参照し、該当する心理テストを特定した後、判定用ＤＢ５０ｄ２から対応する心理テストに関する情報を取得し、携帯電話機２０に送信する。その結果、携帯電話機２０には、図９（Ａ）と同様の情報が表示される。
【０１１８】
ステップＳ６４：ＣＰＵ５０ａは、携帯電話機２０から送信されてきた心理テストの問題に対する回答を受信する。なお、ステップＳ６３およびステップＳ６４の処理は、心理テストの問題数に応じて繰り返し実行される。
【０１１９】
ステップＳ６５：ＣＰＵ５０ａは、ステップＳ６４において受信した回答と、判定用ＤＢ５０ｄ２に格納されている情報とを比較して評価を行う。具体的には、質問毎に選択された肢に応じたポイントを累積加算し、トータルのポイントを得る。なお、このとき得られたポイントについては、ＩＤ管理用ＤＢ５０ｄ３の「第２の評価」として登録するとともに、「ステータス」の「心理テスト」については「２回目のテスト終了」とする。
【０１２０】
ステップＳ６６：ＣＰＵ５０ａは、ＩＤを参照して一方のユーザの評価をＩＤ管理用ＤＢ５０ｄ３から取得し、ステップＳ６５で得られた他方のユーザの評価と比較することにより、これらのユーザの相性（または、将来、波乱度）を、例えば、百分率により算定する。なお、得られた相性については、ＩＤ管理用ＤＢ５０ｄ３の「判定結果」として登録する
【０１２１】
ステップＳ６７：ＣＰＵ５０ａは、ステップＳ６６の処理により得られた結果を表示するか否かをユーザに問い合わせ、表示する場合にはステップＳ６８に進み、それ以外の場合には処理を終了する。すなわち、ＣＰＵ５０ａは、図１０（Ｂ）に示す情報を表示するためのＨＴＭＬ文書をＨＰ用ＤＢ５０ｄ１から取得し、携帯電話機２０に送信して表示させ、ユーザからの応答に応じて判定する。
【０１２２】
ステップＳ６８：ＣＰＵ５０ａは、診断結果を表示する処理を実行する。なお、この処理の詳細については、図１４を参照して後述する。
【０１２３】
図１４は、図１３に示す診断結果表示処理の詳細を説明するためのフローチャートである。なお、この処理は、ステップＳ６８の処理が実行された場合または心理テストが終了した後に第１または第２のユーザがアクセスしたときに実行される。このフローチャートの処理が開始されると、以下のステップが実行される。
【０１２４】
ステップＳ８０：ＣＰＵ５０ａは、アクセスしてきたユーザについてのＩＤが認証済みであるか否かを判定し、認証済みである場合にはステップＳ８３に進み、それ以外の場合にはステップＳ８１に進む。例えば、２回目の心理テストを受けたユーザがログアウトせずにステップＳ６８の処理に進んだ場合には、ステップＳ５４において認証が既になされているので、ステップＳ８３に進む。
【０１２５】
ステップＳ８１：ＣＰＵ５０ａは、ＩＤを入力する画面（図７（Ａ）参照）を表示するためのＨＴＭＬ文書をＨＰ用ＤＢ５０ｄ１から取得し、Ｉ／Ｆ５０ｆを介してアクセスしてきた携帯電話機１０または携帯電話機２０に送信する。その結果、携帯電話機１０または携帯電話機２０には、図７（Ａ）に示すような画面が表示される。
【０１２６】
ステップＳ８２：ＣＰＵ５０ａは、携帯電話機１０または携帯電話機２０から送信されてきたＩＤに基づいて認証処理を実行した結果、認証に成功したか否かを判定し、成功した場合にはステップＳ８３に進み、それ以外の場合には処理を終了する。具体的には、ＩＤ管理用ＤＢ５０ｄ３に格納されている情報（図８参照）を参照し、ＩＤが有効に存在し、有効期間中であり、かつ、心理テストのステータスが「２回目の心理テスト終了」である場合には認証に成功したとしてステップＳ８３に進む。
【０１２７】
ステップＳ８３：ＣＰＵ５０ａは、ＩＤ管理用ＤＢ５０ｄ３に格納されている判定結果を取得し、携帯電話機１０または携帯電話機２０に送信して表示させる。その結果、図１２（Ａ）に示すような情報が表示される。
【０１２８】
ステップＳ８４：ＣＰＵ５０ａは、ダウンロードを実行要求がなされたか否かを判定し、要求された場合にはステップＳ８５に進み、それ以外の場合には処理を終了する。具体的には、図１２（Ａ）のテキストボックスにＩＤが入力された後、ボタン１３６が操作された場合にはステップＳ８５に進む。
【０１２９】
ステップＳ８５：ＣＰＵ５０ａは、図１２（Ａ）に示すテキストボックス１３４に入力されたＩＤを取得する。
【０１３０】
ステップＳ８６：ＣＰＵ５０ａは、携帯電話機１０または携帯電話機２０から送信されてきたＩＤに基づいて認証処理を実行した結果、認証に成功したか否かを判定し、成功した場合にはステップＳ８７に進み、それ以外の場合には処理を終了する。具体的には、ＩＤ管理用ＤＢ５０ｄ３に格納されている情報（図８参照）を参照し、ＩＤが有効に存在し、かつ、有効期間中である場合には認証に成功したとしてステップＳ８７に進む。
【０１３１】
ステップＳ８７：ＣＰＵ５０ａは、今回のダウンロードの回数が２回以下であるか否かを判定し、２回以下である場合にはステップＳ８９に進み、それ以外の場合にはステップＳ８８に進む。具体的には、図８に示す「ステータス」の「ダウンロード」が「−」である場合または「１回目のダウンロード終了」である場合にはステップＳ８９に進み、「２回目のダウンロード終了」である場合にはステップＳ８８に進む。
【０１３２】
ステップＳ８８：ＣＰＵ５０ａは、ダウンロードが２回既に行われていることから、ダウンロードは不可である旨を示す情報を携帯電話機１０または携帯電話機２０に送信して表示させる。
【０１３３】
ステップＳ８９：ＣＰＵ５０ａは、判定結果に対応する画像情報をＨＰ用ＤＢ５０ｄ１から取得する。なお、画像情報としては、例えば、判定結果の数値が高い場合には、仲が良いことを示す画像とし、低い場合には仲があまり良くないことを示す画像とする。
【０１３４】
ステップＳ９０：ＣＰＵ５０ａは、ステップＳ８９において取得した画像情報を、携帯電話機１０または携帯電話機２０に送信して表示させる。その結果、携帯電話機１０または携帯電話機２０の表示装置１０ｈまたは表示装置２０ｈ（図示せず）には、図１２（Ｂ）に示すような待ち受け画面の画像が表示されることになる。なお、送信が完了した場合には、ダウンロードのステータスを“１”増加させる。すなわち、現在のステータスが「−」の場合には「１回目のダウンロード終了」とし、現在のステータスが「１回目のダウンロード終了」である場合には「２回目のダウンロード終了」とする。
【０１３５】
以上に説明したように、本発明の実施の形態では、グリーティングカード６０に印刷された情報に基づいて、第１のユーザと第２のユーザが携帯電話機１０または携帯電話機２０を利用して相性判定装置にアクセスし、心理テストを受けるようにしたので、２人のユーザが一緒に相性判定装置が設置されている場所まで出向く必要がなくなる。
【０１３６】
また、相性判定の結果を、待ち受け画面情報としてダウンロードすることができるようにしたので、判定にゲーム性を持たせることが可能になる。
【０１３７】
また、グリーティングカード６０に印刷されたＩＤを利用して正当なユーザか否かを認証するようにしたので、第三者による不正なシステムの使用を防止することができる。
【０１３８】
また、システムの使用料は、グリーティングカード６０の購入代金として徴収することができることから、料金を確実に徴収することができる。
【０１３９】
また、さまざまな種類のグリーティングカード６０を準備して、第１のユーザに選択させることにより、第２のユーザに対してさまざまなメッセージを伝えることが可能になる。
【０１４０】
以上の各実施の形態は、本発明の好適な実施の形態の例であるが、本発明はこれに限定されるものではなく、発明の要旨を逸脱しない範囲において、種々の変形、変更が可能である。
【０１４１】
例えば、以上の実施の形態では、第１および第２のユーザが携帯電話機１０，２０を利用して相性判定装置５０にアクセスするようにしたが、例えば、パーソナルコンピュータまたはＰＤＡ（Personal Digital Assistant）を利用してアクセスするようにしてもよい。なお、その場合には、待ち受け画面ではなく、例えば、表示装置に継続的に表示する画像情報としての壁紙をダウンロードするようにすればよい。
【０１４２】
また、以上の実施の形態では、電子メールを相性判定装置５０に送信するようにしたが、相性判定装置５０とは別の装置を設けて、当該装置によって相性判定装置５０のＵＲＬが記載された電子メールを返信するようにしてもよい。
【０１４３】
また、電子メールを送信して、ＵＲＬを受信する方法ではなく、例えば、グリーティングカード６０に相性判定装置５０のフロント画面のＵＲＬを予め印刷しておき、当該ＵＲＬを携帯電話機１０または携帯電話機２０から直接入力して、アクセスするようにすることも可能である。
【０１４４】
また、グリーティングカード６０に、例えば、相性判定装置５０のフロント画面のＵＲＬが符号化された２次元バーコードを印刷しておき、当該２次元バーコードを、例えば、カメラ付きの携帯電話機で撮影して復号化することにより、当該フロント画面にアクセスできるようにしてもよい。このような方法によれば、電子メールアドレスを手入力で入力する手間を省略できるので、操作性を向上させることができる。
【０１４５】
また、ＵＲＬのみならず、ＩＤについても符号化して２次元バーコードとしてグリーティングカード６０に印刷することが可能である。そのような方法によれば、前述の場合と同様に操作性を向上させることができる。
【０１４６】
また、以上の実施の形態では、第１および第２のユーザが１つのＩＤを共用するようにしたが、２つのＩＤをそれぞれのユーザが使用するようにすることもできる。この場合、２つのＩＤを図８に示すテーブルにおいて対応付けて管理し、それぞれのユーザ毎にステータスを管理することも可能である。このような方法によれば、一方のユーザが待ち受け画面を２回受信し、他方のユーザがダウンロードできなくなることを防止できる。
【０１４７】
また、以上の実施の形態では、グリーティングカード６０として、紙媒体を使用する場合を説明したが、これ以外にも、例えば、プラスティック製の媒体に印刷したり、商品の外箱に印刷したり、商品自体に印刷または刻印するようにしてもよい。具体的には、シール付き写真（いわゆる「プリクラ」）を印刷する際に、ＩＤおよびアクセス情報を併せて印刷し、当該シール付き写真をグリーティングカード６０の代わりに使用することも可能である。
【０１４８】
また、視認可能なインクによって印刷するのではなく、例えば、電磁気的な方法によって記録された媒体を、リーダ等によって読み取ることによりＩＤまたはアクセス情報を読み取り可能としてもよい。そのような方法によれば、覗き見によるＩＤ等の情報の不正使用を防止することができる。
【０１４９】
また、有体物としての媒体ではなく、例えば、電子データによってグリーティングカードを構成し、当該電子データのみをやりとりするようにしてもよい。その場合、例えば、第１のユーザが所定のサイトにアクセスすることにより、ＩＤおよびアクセス情報が含まれたグリーティングカードを第２のユーザに送信することができるとともに、第１のユーザはＩＤおよびアクセス情報に基づいて相性判定装置５０にアクセスして心理テストを受けることができる。第２のユーザについては、グリーティングカードを受信し、ＩＤおよびアクセス情報に基づいて相性判定装置５０にアクセスして、心理テストを受けることができる。また、課金については、携帯電話機の使用料に含めて徴収することができる。このような方法によれば、紙媒体を授受する必要がなくなるので、テストの結果を迅速に知ることができる。
【０１５０】
また、以上の実施の形態では、判定結果を百分率で表すようにしたが、例えば、「仲良し」、「普通の友達」、「友達以下」のように言葉で表現したり、これらの状態を示す画像によって表したりすることも可能である。
【０１５１】
また、判定結果に応じた待ち受け画面としては、単なる画像情報をダウンロードできるようにしたが、例えば、所定の値以上（例えば、８０％以上）の結果が得られた場合には、特別な画像をダウンロード可能としたり、２人の写真をはめ込んだ待ち受け画面を作成してダウンロードできるようにしたりしてもよい。
【０１５２】
なお、上記の処理機能は、例えば、図３に示すようなコンピュータによって実現される。その場合、相性判定装置が有すべき機能の処理内容を記述したプログラムが提供される。そのプログラムをコンピュータで実行することにより、処理機能がコンピュータ上で実現される。処理内容を記述したプログラムは、コンピュータで読み取り可能な記録媒体に記録しておくことができる。コンピュータで読み取り可能な記録媒体としては、磁気記録装置、光ディスク、光磁気記録媒体、半導体メモリなどがある。磁気記録装置には、ハードディスク装置（ＨＤＤ）、フレキシブルディスク（ＦＤ）、磁気テープなどがある。光ディスクには、ＤＶＤ、ＤＶＤ−ＲＡＭ（Random Access Memory）、ＣＤ−ＲＯＭ（Compact Disk Read Only Memory）、ＣＤ−Ｒ（Recordable）／ＲＷ（ReWritable）などがある。光磁気記録媒体には、ＭＯ（Magneto-Optical Disk）などがある。
【０１５３】
プログラムを流通させる場合には、例えば、そのプログラムが記録されたＤＶＤ、ＣＤ−ＲＯＭなどの可搬型記録媒体が販売される。また、プログラムをサーバコンピュータの記憶装置に格納しておき、ネットワークを介して、サーバコンピュータから他のコンピュータにそのプログラムを転送することもできる。
【０１５４】
プログラムを実行するコンピュータは、例えば、可搬型記録媒体に記録されたプログラムもしくはサーバコンピュータから転送されたプログラムを、自己の記憶装置に格納する。そして、コンピュータは、自己の記憶装置からプログラムを読み取り、プログラムに従った処理を実行する。なお、コンピュータは、可搬型記録媒体から直接プログラムを読み取り、そのプログラムに従った処理を実行することもできる。また、コンピュータは、サーバコンピュータからプログラムが転送される毎に、逐次、受け取ったプログラムに従った処理を実行することもできる。
【産業上の利用可能性】
【０１５５】
本発明は、２人のユーザの相性を判定する相性判定装置に利用することができる。
【図面の簡単な説明】
【０１５６】
【図１】本発明の実施の形態に係る相性判定装置を有する相性判定システムの構成例を示すブロック図である。
【図２】図１に示す実施の形態に係る相性判定装置と通信する携帯電話機の構成例を示すブロック図である。
【図３】図１に示す実施の形態に係る相性判定装置の構成例を示すブロック図である。
【図４】図１に示す実施の形態に係るグリーティングカードの詳細を示す図であり、（Ａ）はカードの表面を示す図であり、（Ｂ）はカードの裏面を示す図である。
【図５】図４に示すグリーティングカードのシールを剥がした状態を示す図であり、（Ａ）は表面のシールを剥がした状態を示す図であり、（Ｂ）は裏面のシールを剥がした状態を示す図である。
【図６】相性判定装置および２つの携帯電話の間で授受される情報の流れを説明するための図である。
【図７】携帯電話機に表示される情報の一例を示す図であり、（Ａ）はフロント画面を示す図であり、（Ｂ）は判定するテーマを選択する画面の表示例である。
【図８】相性判定装置のＩＤ管理用ＤＢに格納されている情報の一例を示す図である。
【図９】心理テストを受けている場合に携帯電話機に表示される画面の一例を示す図であり、（Ａ）は選択肢の表示例であり、（Ｂ）は選択された選択肢を確認するための画面の表示例である。
【図１０】心理テストが終了した場合に携帯電話機に表示される画面の表示例であり、（Ａ）は第１のユーザの心理テストが終了した場合に表示される画面の一例であり、（Ｂ）は第２のユーザの心理テストが終了した場合に表示される画面の一例である。
【図１１】相性判定装置および２つの携帯電話の間で授受される情報の流れを説明するための他の図である。
【図１２】心理テストの判定結果を示す図であり、（Ａ）は判定結果を示す画面の表示例であり、（Ｂ）は心理テストに応じた待ち受け画面をダウンロードした場合の画面の表示例である。
【図１３】図３に示す相性判定装置において実行される処理の流れを説明するためのフローチャートである。
【図１４】図１３に示す「判定結果表示処理」の詳細を説明するためのフローチャートである。
【符号の説明】
【０１５７】
１０  携帯電話機（第１の端末装置）
２０  携帯電話機（第２の端末装置）
５０  相性判定装置
５０ａ  ＣＰＵ（第１の認証手段の一部、第２の認証手段の一部、第１の呈示手段の一部、第２の呈示手段の一部、第１の採点手段の一部、第２の採点手段の一部、判定手段の一部、通知手段、提供手段）
５０ｄ  ＨＤＤ
５０ｄ１  ＨＰ用ＤＢ（提供手段の一部、第１の呈示手段の一部、第２の呈示手段の一部）
５０ｄ２  判定用ＤＢ（第１の採点手段の一部、第２の採点手段の一部、判定手段の一部）
５０ｄ３  ＩＤ管理用ＤＢ（第１の認証手段の一部、第２の認証手段の一部）
【図１】
2006174989.tif 000003
【図２】
2006174989.tif 000004
【図３】
2006174989.tif 000005
【図４】
2006174989.tif 000006
【図５】
2006174989.tif 000007
【図６】
2006174989.tif 000008
【図７】
2006174989.tif 000009
【図８】
2006174989.tif 000010
【図９】
2006174989.tif 000011
【図１０】
2006174989.tif 000012
【図１１】
2006174989.tif 000013
【図１２】
2006174989.tif 000014
【図１３】
2006174989.tif 000015
【図１４】
2006174989.tif 000016